(57)【要約】【課題】従来の洗濯乾燥機においては、水冷式除湿器の下流側に空気を加熱するヒータが存在するために、除湿器内で発生した水滴が循環空気に乗って前記ヒータの位置まで飛翔しないようにすることが必要であった。【解決手段】外槽と前記循環風路が接続される吸い出し口から前記吹き込み口との間の風路に洗浄ノズルを設置することにより、上昇風路部の上部や冷却散水部および冷却水供給管の表面に付着したリントを洗い流すようにした。【選択図】　図１
2004008279.tif 000002
【特許請求の範囲】
【請求項１】
循環風路を外槽に取り付けて配置した該循環風路において冷却除湿し、この循環風路の吹き込み口を洗濯兼脱水槽の開口に臨んで設置することにより該吹き込み口の手前で循環空気を加熱した温風を洗濯兼脱水槽内に吹き込むように構成した洗濯乾燥機において、
前記外槽と前記循環風路が接続される吸い出し口から前記吹き込み口との間の風路に洗浄ノズルを設置したことを特徴とする洗濯乾燥機。
【請求項２】
循環風路を外槽に取り付けて配置した該循環風路において冷却除湿し、この循環風路の吹き込み口を洗濯兼脱水槽の開口に臨んで設置することにより該吹き込み口の手前で循環空気を加熱した温風を洗濯兼脱水槽内に吹き込むように構成し、前記循環風路の途中に糸屑フィルタを設置した洗濯乾燥機において、
前記外槽と前記循環風路が接続される吸い出し口から前記糸屑フィルタとの間の風路に洗浄ノズルを設置したことを特徴とする洗濯乾燥機。
【請求項３】
請求項１において、前記洗浄ノズルへの水の供給を給水配管から分岐することを特徴とする洗濯乾燥機。
【請求項４】
請求項１において、
前記洗濯兼脱水槽に水を供給する時に前記洗浄ノズルへ水を供給することを特徴とする洗濯乾燥機。
【請求項５】
外槽の後側と後枠板の間に上下方向に折り返して伸びる循環風路を前記外槽に取り付けて配置した該循環風路において冷却除湿し、この循環風路の吹き込み口を洗濯兼脱水槽の上部開口に臨んで設置することにより該吹き込み口の手前で循環空気を加熱した温風を洗濯兼脱水槽内に吹き込むように構成した洗濯乾燥機において、前記外槽と前記循環風路が接続される吸い出し口から前記吹き込み口との間の風路に洗浄ノズルを設置したことを特徴とする洗濯乾燥機。
【発明の詳細な説明】
【０００１】
【発明の属する技術分野】
本発明は、洗濯乾燥機に関する。
【０００２】
【従来の技術】
洗濯、脱水および乾燥を行う洗濯乾燥機は、特開平１１−３４７２８２号公報に記載されているように、送風機によって洗濯槽から吸い出した湿潤空気を水冷除湿する水冷式除湿器（水冷式熱交換器）と、除湿した空気を加熱して洗濯槽内に吹き込むヒータを備える。前記水冷式除湿器は、洗濯槽から吸い出した湿潤空気を除湿する除湿ダクト内に冷却水を供給し、除湿ダクト内を流れる循環空気の流勢によって冷却水の水滴を跳ね上げて空気と冷却水の接触による冷却除湿（熱交換）効率を高めるように構成している。
【０００３】
【発明が解決しようとする課題】
しかしながら、洗濯乾燥機においては、水冷式除湿器の下流側に空気を加熱するヒータが存在するために、除湿器内で発生した水滴が循環空気に乗って前記ヒータの位置まで飛翔しないようにすることが必要である。また、循環空気に乗って飛翔する水滴は、気化して循環空気を湿潤させることになるので、除湿効率を低下させる。
【０００４】
除湿器内で発生した水滴が該除湿器内に止めるために、この除湿器内の出口部に水滴を落下させるための部屋を設けると該除湿器が大型化し、また、水滴遮蔽リブを設けると通風抵抗が増加して通風量が減少して熱交換効率が低下する問題がある。更に、水滴を落下させるための部屋や水滴遮蔽リブを設けることにより流路曲り部の上部や凸部に繊維状塵埃が付着し、堆積して成長することによって通風抵抗が増加して通風量が減少して熱交換効率が低下する問題がある。
【０００５】
水滴が発生するのを軽減する構成の除湿器も水滴飛翔を減少する有効な手段であるが、そのように構成した水冷式除湿器であっても通風路内に付着した繊維状塵埃が堆積して成長すると、この成長した繊維状塵埃堆積物が冷却水を多量に含んで水滴の発生を助長するようになる。
【０００６】
本発明の１つの目的は、湿潤空気を冷却して除湿する冷却水が水滴となって循環空気に乗って下流側に飛翔するのを防止すると共に冷却除湿（熱交換）効率を高めることにある。
【０００７】
本発明の他の目的は、更に、前述したような水冷式除湿器（水冷式熱交換機）を小型に構成することにある。
【０００８】
本発明の他の目的は、更に、前述したような水冷式除湿器（水冷式熱交換機）を小さな通風抵抗で実現することにある。
【０００９】
本発明の他の目的は、更に、このような水冷式除湿器（水冷式熱交換機）を備えた小型の洗濯乾燥機を実現することにある。
【００１０】
【課題を解決するための手段】
本発明は、循環風路を外槽に取り付けて配置した該循環風路において冷却除湿し、この循環風路の吹き込み口を洗濯兼脱水槽の開口に臨んで設置することにより該吹き込み口の手前で循環空気を加熱した温風を洗濯兼脱水槽内に吹き込むように構成した洗濯乾燥機における前記循環風路の壁面に繊維状塵埃が付着して堆積し、これが冷却水を含んで水滴の発生を助長または通風抵抗が増加するような繊維状塵埃堆積物に成長するのを抑制するものであり、具体的には、
前記外槽と前記循環風路が接続される吸い出し口から前記吹き込み口との間の風路に洗浄ノズルを設置したことを特徴とし、または、前記外槽と前記循環風路が接続される吸い出し口から前記糸屑フィルタとの間の風路に洗浄ノズルを設置したことを特徴とする。
【００１１】
【発明の実施の形態】
以下、本発明の実施の形態を図面を参照して説明する。
【００１２】
図１は、本発明の第１の実施の形態における洗濯乾燥機の構成を示す模式図である。図２は、第１の実施の形態における洗濯乾燥機の水冷式除湿器（熱交換器）の部分拡大断面図である。
【００１３】
この実施の形態における洗濯乾燥機は、四角筒状の外枠１の内側に有底円筒状の外槽２を防振機構（図示省略）によって懸垂するように支持し、この外槽２の内側には、側壁に多数の脱水穴３ａを形成した有底円筒状の洗濯兼脱水槽３と攪拌翼４を設け、外槽２の下側に設置した回転駆動装置５によって攪拌翼４を繰り返し正転および逆転させる。脱水穴３ａは、後述する循環空気の吹き抜けを防止して洗濯物２１の乾燥を効率的に行うために、洗濯兼脱水槽３の側壁の下部領域に設け、中間部領域と上部領域は省略するか少なくすると良い。また、攪拌翼４には、通気穴４ａを設ける。外槽２の底部は、排水電磁弁６を介して排水パイプ７に接続する。
【００１４】
外枠１の上部開口１ａはヒンジ８ａによって外枠１に取り付けた外蓋８によって開閉し、外槽２の上部開口２ａは、ヒンジ９ａによって外槽２に取り付けた内蓋９によって開閉する。
【００１５】
そして、この洗濯乾燥機は、外蓋８および内蓋９を開放して洗濯兼脱水槽３内に洗濯物２１を投入し、内蓋９および外蓋８を閉じ、外槽２内に給水電磁弁２０によって給水して回転駆動装置５を運転して攪拌翼４を繰り返し正転および逆転させることによって洗濯物２１を攪拌して洗濯し、排水電磁弁６を開いて排水し、洗濯兼脱水槽３を高速回転させることによって脱水する。
【００１６】
外槽２内の乾燥空気を循環させて循環空気を生成する循環風路は、外槽２の側壁の下部に設けた吸い出し口２ｂと、この吸い出し口２ｂに接続されて該吸い出し口２ｂから上方に向かって伸びて洗濯水の進入を止める上昇風路部（部材）１０と、洗濯工程における外槽２の水位よりも高い位置に設置されて前記上昇上昇風路部１０を上昇してきた循環空気を折り返す上部折り返し部（部材）１１と、この上部折り返し部１１から外槽２の下側に向かって伸びる下降風路部（部材）１２と、外槽２の下側の空間に配置されて前記下降風路部１２から循環空気を吸い込む循環ファン１３と、この循環ファン１３の吐出口から外槽２の上部開口に向かって伸びる吹き出し風路部（部材）１４と、この吹き出し風路部１４の上部に接続されて循環空気を外槽２の上部開口２ａから洗濯兼脱水槽３内に吹き込む吹き込み口部（部材）１５を備える。この循環風路における上昇風路部１０は、洗濯工程における外槽２内の洗濯水が循環ファン１３に進入するのを止めるように機能する。また、循環ファン１３と該循環ファン１３に対する風路部材の接続部は、循環風路における下部折り返し部を構成する。
この循環風路は、上昇風路部１０内の上部に冷却散水部１６を備え、冷却散水部１６の上部に洗浄ノズル２３を備え、上部折り返し部１１内に糸屑フィルタ１７を備え、吹き込み口部１５内に加熱ヒータ（ＰＴＣヒータ）１８を備える。
【００１７】
これらの各循環風路部材は、外槽２の後側に位置させて該外槽２の側壁に取り付けて実装する。
【００１８】
そして、これらの循環風路部材は、洗濯後に電磁排水弁６を開いて外槽２内の洗濯水を排水し、洗濯兼脱水槽３を高速回転させて脱水した後に低速回転（５０〜４００ｒ／ｍｉｎ）させた状態で、循環ファン１３を運転することによって、外槽２および洗濯兼脱水槽３内の空気を吸い出し口２ｂから吸い込み、上昇風路部１０内を上昇する過程において冷却散水部１６から該上昇風路部１０内に供給される冷却水によって冷却除湿し、上部折り返し部１１内の糸屑フィルタ１７によって糸屑を捕集する。
【００１９】
洗濯槽３内で洗濯物２１から水分を奪って湿潤して上昇風路部１０内を通過する循環空気２２の水冷除湿は、冷却水散水電磁弁１６ｅから供給され冷却散水部１６の冷却水流出口１６ａ、１６ｂ、１６ｃから上昇風路部１０の壁面に流れ出た冷却水２５を該壁面を伝わせて且つ３列の突条２７によってジグザグ状態に案内して該壁面の広い範囲に広げて流下させる（該壁面の略垂直な距離より長い距離を流下させる）ことにより、循環空気２２が上昇風路部１０内を通過するときに該上昇風路部１０の壁面を伝って流下する冷却水２５に広い面積で触れさせることにより実現する。
【００２０】
循環空気２２は、洗濯物２１のリントを含み、上昇風路部１０内を上昇しているので、上昇風路部１０内に大きな突起があるとその突起にリントが付着し堆積する可能性がある。特に冷却水２５が流下する壁面側の冷却散水部１６にリントが堆積し、冷却水流出口１６ａ、１６ｂ、１６ｃを覆うと冷却水流出口１６ａ、１６ｂ、１６ｃから出た冷却水２５がリントによって吸上げられ循環空気２２に乗って下流側に飛翔し、熱交換（冷却除湿）効率を低下させてしまう。また、冷却散水部１６や冷却水供給管１６ｄにリントが堆積し成長すると通風抵抗が増加して通風量が低下する。リントが堆積しても通風抵抗が増加しないように上昇風路部１０内を十分に大きくすると除湿器が大型化してしまう。そのため、図２に示すように冷却散水部１６の上部に洗浄ノズル２３を設け洗浄水２４を冷却散水部１６や冷却水供給管１６ｄに噴射させて表面に付着したリントを洗い流すことにより冷却散水部１６や冷却水供給管１６ｄへのリントの堆積を防止し、熱交換（冷却除湿）効率の低下と除湿器の大型化および通風抵抗の増加を防いでいる。
【００２１】
本実施例では、洗浄ノズル２３への洗浄水２４の供給は、洗濯槽３への給水時に給水電磁弁２０後の配管より分岐して供給しているが、冷却水散水電磁弁１６ｅ同様、洗浄水用電磁弁を別に設け乾燥途中や乾燥終了時に洗浄してもよい。
【００２２】
上昇風路部１０内に供給された冷却水２５は、この上昇風路部１０内の内壁面に沿って該内壁面を流下しながら該内壁面および循環空気２２を冷却し、外槽２内に流入した後に電磁排水弁６を通して排水する。その後、冷却除湿した空気は、下降風路部１２を通して循環ファン１３に吸い込み、この循環ファン１３から吹き出し風路部１４を通して吹き込み口部１５に送り込み、加熱ヒータ１８によって加熱して洗濯兼脱水槽３内の内壁面付近にむけて該洗濯兼脱水槽３の回転方向に対して逆向きに吹き込むことにより循環させながら、前記上昇風路部１０内において冷却除湿することによって洗濯物２１を乾燥させる。
【００２３】
このように構成した洗濯乾燥機は、洗浄ノズル２３によって上昇風路部１０の上部にある冷却散水部１６や冷却水供給管１６ｄの表面に付着したリントを洗い流すことが出来るので冷却散水部１６や冷却水供給管１６ｄへのリントの堆積を防止し、熱交換（冷却除湿）効率の低下と通風抵抗の増加および除湿器の大型化を防いでいる。従って、洗濯乾燥機の小型化が図れる。
【００２４】
次に、本発明の第２の実施の形態を図３を参照して説明する。図３は、この第２の実施の形態における洗濯乾燥機の水冷式除湿器（熱交換器）の部分拡大断面図である。この第２の実施の形態は、第１の実施の形態の洗浄ノズルの位置を糸屑フィルタの前に設けた構成に特徴がある。第１の実施の形態と共通する構成については、重複する説明を省略する。
【００２５】
この第２の実施の形態における水冷式除湿器は、糸屑フィルタ１７の前に洗浄ノズル２３を設け、上昇風路部１０内の上部折り返し部１１の上面と冷却散水部１６や冷却水供給管１６ｄの表面に付着したリントを同時に洗浄することが出来る。
【００２６】
このように構成した洗濯乾燥機は、前述した実施の形態と同様な作用効果が得られると共に洗浄ノズル２３によって上昇風路部１０内の上部折り返し部１１の上面に付着したリントを効果的に洗い流すことが出来るので、リントの堆積による通風抵抗の増加を防ぐ効果が一層顕著になる。
【００２７】
そして、このような水冷式除湿器（熱交換器）は衣類乾燥機や食器洗浄乾燥機、生ゴミ処理機等に用いることができる。
【００２８】
【発明の効果】
本発明は、洗浄ノズルにより上昇風路部の上部や冷却散水部および冷却水供給管の表面に付着したリントを洗い流すことによって、上昇風路部の上部や冷却散水部および冷却水供給管のリントの堆積を防止して水滴が下流側に飛翔するのを防ぎ、熱交換（冷却除湿）効率の低下と除湿器の大型化および通風抵抗の増加を防止することができる。
【図面の簡単な説明】
【図１】本発明の第１の実施の形態における洗濯乾燥機の構成を示す模式図である。
【図２】図１に示した洗濯乾燥機の水冷式除湿器（熱交換器）の部分拡大断面図である。
【図３】本発明の第２の実施の形態における水冷式除湿器の部分拡大断面図である。
【符号の説明】
１…外枠、１ａ…上部開口、２…外槽、２ａ…上部開口、２ｂ…吸いだし口、３…洗濯兼脱水槽、３ａ…脱水穴、４…攪拌翼、５…回転駆動装置、６…排水電磁弁、１０…上昇風路部（部材）、１１…上部折り返し部（部材）、１２…下降風路部（部材）、１３…循環ファン、１４…吹き出し風路部（部材）、１５…吹き出し口部（部材）、１６…冷却散水部、１７…糸屑フィルタ、１８…加熱ヒータ、２３…洗浄ノズル、２５…冷却水、２７…突条。
【図１】
2004008279.tif 000003
【図２】
2004008279.tif 000004
【図３】
2004008279.tif 000005